(57)【要約】【課題】ＴＡＢ用オートハンドラのプローブカードのメンテナンスの時期を利用者に自動的かつ正確な周期（例えば、所定の検査個数毎）で警告することによって、メンテナンスの遅れを事前に防止できるプローブカード管理装置及び管理方法を提供する。【解決手段】ＴＡＢ用オートハンドラ３２〜３４の着脱可能なプローブカード２１の管理装置であって、前記プローブカードには、個々のプローブカードを識別するための識別手段２３を備え、制御装置２６によるプッシャー２４の昇降の回数を計数するカウンタと、前記カウント値が所定の値に到達した際に、前記プローブカードのメンテナンスの警告を出力するメンテナンス警告手段とを備えるプローブカードの管理装置。【選択図】　　図１
2004117054.tif 000002
【特許請求の範囲】
【請求項１】
ＴＡＢ用オートハンドラの着脱可能なプローブカードの管理装置であって、
前記プローブカードには、個々のプローブカードを識別するための識別手段を備え、
制御装置によるプッシャーの昇降の回数を計数するカウンタと、
前記カウント値が所定の値に到達した際に、前記プローブカードのメンテナンスの警告を出力するメンテナンス警告手段と、
を備えることを特徴とするプローブカードの管理装置。
【請求項２】
前記識別手段は、プローブカードに貼付されたバーコードであり、前記制御装置には、バーコード読取手段を備えることを特徴とする請求項１に記載のプローブカードの管理装置。
【請求項３】
前記カウンタは制御装置内に設けられたメモリで構成され、プッシャーの押し下げ動作の度に＋１が加算され、プローブカードのメンテナンス終了後にカウント値がクリアされることを特徴とする請求項１又は２に記載のプローブカードの管理装置。
【請求項４】
前記ＴＡＢ用オートハンドラが複数台ネットワークを介して接続されていて、前記着脱可能なプローブカードが他のＴＡＢ用オートハンドラでも使用されることを特徴とする請求項１〜３のいずれか１項に記載のプローブカードの管理装置。
【請求項５】
ＴＡＢ用オートハンドラの着脱可能なプローブカードの管理方法であって、
前記プローブカードに付与された識別手段を認識するステップと、
プッシャーの昇降の回数を計数するステップと、
前記計数された回数が所定の値に到達した際に、前記プローブカードのメンテナンスの警告を出力するステップと、
を含むことを特徴とするプローブカードの管理方法。
【請求項６】
前記識別手段は、プローブカードに貼付されたバーコードであり、制御装置に設置されたバーコード読取手段でバーコードデータを読み取ることを特徴とする請求項５に記載のプローブカードの管理方法。
【発明の詳細な説明】
【０００１】
【発明の属する技術分野】
本発明は、ＩＣテスタと接続してＴＡＢの電気的特性を測定して分類するＴＡＢ用オートハンドラに関する。
【０００２】
【従来の技術】
従来からＴＡＢ用オートハンドラとしては以下のものが知られている（特許文献１参照）
【０００３】
【特許文献１】
特開平７−２３９３６６号公報（図８及びその説明）
【０００４】
上記公報には、ＴＡＢ用オートハンドラの全体構成を図２を用いて以下の説明されている。
「　図２の１はＴＡＢ、２Ａは供給リール、２Ｂは収容リール、４Ｃと４Ｄはプーリ、５Ｃと５Ｄはテンションプーリ、６Ｃと６Ｄはガイド、７Ａと７Ｂはスプロケット、８はテープクランプ、９と１０はプッシャである。
図２では、供給リール２Ａに巻かれたＴＡＢ１を収容リール２Ｂは巻き取る。プッシャ９の両翼にはスプロケット７Ａ・７Ｂが配置され、スプロケット７Ａとスプロケット７Ｂは同期回転してＴＡＢ１を走行させる。
プッシャ９の下面にはテープクランプ８が配置され、ＴＡＢ１はプッシャ９とテープクランプ８間を走行する。プッシャ１０はプッシャ９を昇降させ、テープクランプ８とプッシャ９で保持されたＴＡＢ１をプッシャ１０は降下させ、前記ＴＡＢ１をプローブカード１２に接触させて試験する。
図２のプローブカード１２はプッシャ９と対向する形で装置に保持される。プローブカード１２とアタッチメントユニット１３は機械的または電気的に分離可能接続される。
ＩＣテスタのテストヘッド１４は上部にアタッチメントユニット１３を配置する。
プローブカード１２とアタッチメントユニット１３間にはＴＡＢ１を撮像する画像認識用のカメラ１７が配置される。
図２では、ＴＡＢ１はスプロケット７Ａ・７Ｂが同期して回転することによりＴＡＢのピッチ分送られ、供給リール２Ａからテンションプーリ５Ｃ、スプロケット７Ａ・７Ｂ、テンションプーリ５Ｄ、収容リール２Ｂの順に移動する。
プーリ４Ｃは供給リール２Ａとテンションプーリ５Ｃ間に配置され、プーリ４Ｄは収容リール２Ｂとテンションプーリ５Ｄ間に配置される。プーリ４Ｃ・４ＤＤは回転中心が固定され、円周面が転動してＴＡＢ１を案内する。
テンションプーリ５Ｃ・５Ｄは回転中心が水平方向に自在に移動する。ガイド６Ｃはテンションプーリ５Ｃとスプロケット７Ａ間に配置され、ガイド６Ｄはテンションプーリ５Ｄとスプロケット７Ｂ間に配置される。
ガイド６Ｃ・６ＤはＴＡＢ１を介在させ、スプロケット７Ａ・７Ｂと対向する形で配置されており、ガイド６Ｃ・６Ｄの上面は円弧状に形成され、ＴＡＢ１を案内する。」
【０００５】
【発明が解決しようとする課題】
上述の如く、プローブカードはプッシャと対向する形で装置に保持されていて、プローブカードとアタッチメントユニットは機械的または電気的に分離可能接続であって、プッシャで保持されたＴＡＢをプッシャで降下させ、前記ＴＡＢをプローブカード１２に接触させて試験を実行するものであるので、プローブカードの接触子の定期的（例えば、数ヶ月毎）なメンテナンスを行う必要があったが、従来では、利用者の判断で随時メンテナンスを行っていた。
プローブカードのメンテナンスの時期が遅れると、ＩＣテスタによる試験の測定結果が悪い結果が現われて正確な検査が実行出来ず再検査が必要になるという問題があった。
【０００６】
本発明の課題
（目的）は、ＴＡＢ用オートハンドラのプローブカードのメンテナンスの時期を利用者に自動的かつ正確な周期（例えば、デバイスの所定の検査個数毎）で警告することによって、メンテナンスの遅れを事前に防止できるプローブカード管理装置及び管理方法を提供することにある。
【０００７】
【課題を解決するための手段】
前記課題を解決するために、ＴＡＢ用オートハンドラの着脱可能なプローブカードの管理装置であって、前記プローブカードには、個々のプローブカードを識別するための識別手段を備え、制御装置によるプッシャーの昇降の回数を計数するカウンタと、前記カウント値が所定の値に到達した際に、前記プローブカードのメンテナンスの警告を出力するメンテナンス警告手段とを備える。（請求項１）
【０００８】
また、前記識別手段は、プローブカードに貼付されたバーコードであり、前記制御装置には、バーコード読取手段を備える。（請求項２）
また、前記カウンタは制御装置内に設けられたメモリで構成され、プッシャーの押し下げ動作の度に＋１が加算され、プローブカードのメンテナンス終了後にカウント値がクリアされる。（請求項３）
また、前記ＴＡＢ用オートハンドラが複数台ネットワークを介して接続されていて、前記着脱可能なプローブカードが他のＴＡＢ用オートハンドラでも使用される。（請求項４）
【０００９】
ＴＡＢ用オートハンドラの着脱可能なプローブカードの管理方法であって、
前記プローブカードに付与された識別手段を認識するステップと、プッシャーの昇降の回数を計数するステップと、前記計数された回数が所定の値に到達した際に、前記プローブカードのメンテナンスの警告を出力するステップとで、プローブカードのメンテナンス時期を管理する。
また、前記識別手段は、プローブカードに貼付されたバーコードであり、制御装置に設置されたバーコード読取手段でバーコードデータを読み取りを実行する。（請求項６）
【００１０】
【発明の実施の形態】
本発明の実施の形態を図１を用いて詳細に説明する。
図１において、３２，３３，３４はネットワークに接続された複数のＴＡＢ用オートハンドラである。（図１では、１個のＴＡＢ用オートハンドラ３１のみを詳細に説明するが、他のオートハンドラも同様である。）
【００１１】
着脱可能なプローブカード２１には、個々のプローブカードを識別するためのバーコード２３が貼付されている。（図１では、識別のためにバーコードを採用しているが、数字や記号等の他の手段を採用しても良い。）
プローブカード２１は複数あって、それぞれ異なったバーコードが貼付されている。
制御装置６は、バーコード読取装置２５によってプローブカードに貼付されたバーコード３のデータを読込むことができる。
【００１２】
プローブカード２１には、ＴＡＢテープに実装されたデバイス２８と接触するために接触子２２が取付けられていて、制御装置２６によってプッシャー２４が押し下げられることによって、ＴＡＢテープに実装されたデバイス２８と接触子２２が接触して、ＩＣテスタ２９によるデバイス２８の検査が実行される。
【００１３】
ＩＣテスタ２９による検査が終了すると、制御装置２６によってプッシャー２４が押し上げられて、デバイス２８と接触子２２とが非接触状態にされる。
本発明では、制御装置２６は、プッシャー２４を押し下げる度に、メモリ２７のカウンタを＋１する。
【００１４】
制御装置２６は、メモリ２７のカウント値が予め設定された値に到達すると、表示装置３０にメンテナンスが必要である旨の警告を出力する。
プローブカードのメンテナンス（プローブカードの接触部の清掃及び付着した酸化物の除去等）が終了すると制御装置２６は、メモリ２７のカウント値を０にクリアする。
【００１５】
メモリ２７のカウンタは、プローブカード毎に設けられていて、複数のＴＡＢ用オートハンドラがネットワークに接続されて管理されるので、当該プローブカードが他のＴＡＢ用オートハンドラに取付けられた場合でも、カウンタの値に誤りが生じることはなく、所定のカウンタ値になった時点で警告を出力することができる。
【００１６】
警告が発生されたプローブカードは、ＴＡＢ用オートハンドラから取り外されて、プローブカードの接触部の清掃及び付着した酸化物の除去等が実行されるので、所定数のデバイスの検査を実行した時点でメンテナンスを行うことが可能である。
【００１７】
【発明の効果】
請求項１に記載の発明では、、ＴＡＢ用オートハンドラの着脱可能なプローブカードの管理装置であって、前記プローブカードには、個々のプローブカードを識別するための識別手段を備え、制御装置によるプッシャーの昇降の回数を計数するカウンタと、前記カウント値が所定の値に到達した際に、前記プローブカードのメンテナンスの警告を出力するメンテナンス警告手段とを備えているので、ＴＡＢ用オートハンドラのプローブカードのメンテナンスの時期を利用者に自動的かつ正確な周期（例えば、所定の検査個数毎）で警告して、メンテナンスの遅れを事前に防止できる。
【００１８】
また、請求項２に記載の発明では、前記識別手段は、プローブカードに貼付されたバーコードであり、前記制御装置には、バーコード読取手段を備えることによって、既存の識別手段であるバーコードを利用して装置を構成できる。
また、請求項３に記載の発明では、前記カウンタは制御装置内に設けられたメモリで構成され、プッシャーの押し下げ動作の度に＋１が加算され、プローブカードのメンテナンス終了後にカウント値がクリアされるので、メンテナンス後に再度使用した際にもプローブカードのメンテナンス管理が正確にできる。
また、請求項４に記載の発明では、前記ＴＡＢ用オートハンドラが複数台ネットワークを介して接続されていて、前記着脱可能なプローブカードが他のＴＡＢ用オートハンドラでも使用できるので、プローブカードを別のＴＡＢ用オートハンドラに使用した際にもプローブカード毎のメンテナンス管理が正確にできる。
【００１９】
請求項５に記載の発明では、ＴＡＢ用オートハンドラの着脱可能なプローブカードの管理方法であって、
前記プローブカードに付与された識別手段を認識するステップと、プッシャーの昇降の回数を計数するステップと、前記計数された回数が所定の値に到達した際に、前記プローブカードのメンテナンスの警告を出力するステップとで、プローブカードのメンテナンス時期を管理をするので、ＴＡＢ用オートハンドラのプローブカードのメンテナンスの時期を利用者に自動的かつ正確な周期（例えば、所定の検査個数毎）で警告して、メンテナンスの遅れを事前に防止できる。
また、請求項６に記載の発明では、前記識別手段は、プローブカードに貼付されたバーコードであり、制御装置に設置されたバーコード読取手段でバーコードデータを読み取りを実行するので、既存の識別手段であるバーコードを利用できる。
【図面の簡単な説明】
【図１】ネットワークに接続された複数のＴＡＢ用オートハンドラが接続された状態を示す図である。
【図２】従来のＴＡＢ用オートハンドラの全体構成を示す図である。
【符号の説明】
２１　　　　　プローブカード
２２　　　　　接触子
２３　　　　　バーコード
２４　　　　　プッシャ
２５　　　　　バーコード読取り装置
２６　　　　　制御装置
２７　　　　　メモリ
２８　　　　　デバイス
２９　　　　　テスタ（ＩＣテスタ）
３０　　　　　表示装置
３１　　　　　ネットワーク
３２〜３４　　ＴＡＢ用オートハンドラ
【図１】
2004117054.tif 000003
【図２】
2004117054.tif 000004